(57)【要約】【課題】  １枚のシートＳから、歩くのに十分な強度を持つ鼻緒つき簡易スリッパを、簡単に切りぬき組み立てることができるスリッパ組み立てシートを提供する。【解決手段】  本発明の簡易組み立てスリッパは１枚のシートで組立て可能な簡易組み立てスリッパであり足裏と接触する底部と足覆い部と前鼻緒部と左横鼻緒部と右横鼻緒部からなり底部と足覆い部とが底部切り込み線により分断され左右の足覆い部の端部で底部と連接され底部の右横端部に右横鼻緒さし込み穴部と右横鼻緒引き出し穴部が設けられ底部の左横端部に左横鼻緒さし込み穴部と左横鼻緒引き出し穴部が設けられ前記底部の前部に前鼻緒さし込み穴部と前鼻緒引き出し穴部が設けられた鼻緒つき簡易組み立てスリッパである。底部切り込み線を切りぬき組み立てることで簡単に持ち運び利用でき、一定の基準を満たせば材質や形にこだわらない。【選択図】図１
2014110972.tif 000002
【特許請求の範囲】
【請求項１】
１枚のシートＳで、組み立て可能な鼻緒つき簡易組み立てスリッパであって、足裏と接触する底部３と足を覆う足覆い部９と前鼻緒部１０と左横鼻緒部１４と右横鼻緒部７とからなり、前記底部３と足覆い部９とが底部切り込み線１６によって分断され左右の足覆い部の端部９ａで底部３と連接されており、底部３の右横端部１８に右横鼻緒さし込み穴部４と右横鼻緒引き出し穴部５が設けられており、底部の左横端部１９に左横鼻緒さし込み穴部１２と左横鼻緒引き出し穴部１３が設けられており、前記底部３の前部１７に前鼻緒さし込み穴部２と前鼻緒引き出し穴部１が設けられていることを特徴とする鼻緒つき簡易組み立てスリッパ。
【請求項２】
前記左横鼻緒さし込み穴部１２と右横鼻緒さし込み穴部４の形状が底部の外縁Ｆに向けて頂点を有するＶ字形状であり、前鼻緒さし込み穴部２の形状が底部の外縁Ｆと反対方向に向けて頂点を有するＶ字形状であることを特徴とする請求項１に記載の鼻緒つき簡易組み立てスリッパ。
【請求項３】
前記前鼻緒部１０と左横鼻緒部１４と右横鼻緒部７の鼻緒部の幅方向Ｗの略中央の鼻緒部の長手方向Ｌに、前記前鼻緒部折れ線１１と左横鼻緒部折れ線１５と右横鼻緒部折れ線８が設けられていることを特徴とする請求項１又は２に記載の鼻緒つき簡易組み立てスリッパ。
【請求項４】
前記前鼻緒部折れ線１１と左横鼻緒部折れ線１５と右横鼻緒部折れ線８の足覆い部９側の端部９ａに、前記折れ線１１、１５、８の端部Ｍを頂点とするＶ字形状を有する折れ線Ｐが設けられていることを特徴とする請求項１〜３のいずれかに記載の鼻緒つき簡易組み立てスリッパ。
【請求項５】
前記前鼻緒部１０と左横鼻緒部１４と右横鼻緒部７の鼻緒部の長手方向Ｌの先端部の形状がＶ字形状であることを特徴とする請求項１〜４のいずれかに記載の鼻緒つき簡易組み立てスリッパ。
【請求項６】
前記足覆い部９側の端部９ａに足覆い部折れ線６が設けられていることを特徴とする請求項１〜５のいずれかに記載の鼻緒つき簡易組み立てスリッパ。
【発明の詳細な説明】
【技術分野】
【０００１】
本発明は、鼻緒つき簡易組み立てスリッパ展開図の描かれた１枚のシートで作られ、それを切り抜き組み合わせて使用する鼻緒つき簡易組み立てスリッパに関するものである。
【背景技術】
【０００２】
従来の鼻緒つき簡易組み立てスリッパは、シート状の組み立て式のものより、スリッパの形状に縫合されているものが多く、持ち運び等に不便であった。また、従来からの組立スリッパは、鼻緒部を矢印型としたものがあった。これによってぬけにくくなるが、それぞれの鼻緒部をはさみ込み引き出すことがやりにくくなり、更に改良がほしかった。一方、シート状の組み立て式のものは、接合部が外れることが多かった。そのため結合部を外れにくくするため、さまざま工夫されたものがある。（例えば特許文献１、特許文献２参照）
【先行技術文献】
【特許文献】
【０００３】
【特許文献１】実開  昭６１−１１３０１号公報
【特許文献２】実開  昭６２−４２４０２号公報
【発明の概要】
【発明が解決しようとする課題】
【０００４】
しかしながら上記特許文献１に記載の考案は、甲被要素を折り返してその先端部に備わっている止付要素を底部要素に備わっている止付要素に連結するように提示されているが、甲板要素部を折り返したのみであることと、先端部の止付要素を底部の止付要素に連結する際、１度のみ通している為使用する際手前連結部に力が集まるので、強度的に弱いのではないかという欠点がある。さらに特許文献２に記載の考案は、左右の鼻緒部を折り曲げて上部中央で差し込み接合したものであるが、左右の鼻緒部を折り曲げたのみであることと、力の多くかかる上部中央の1箇所で差し込むのではずれたり、傷んだりするなどの欠点がある。本発明はそれらの問題を解決し、１枚のシート自らで組み立て、強度を保つ組み立て部を有し常に持ち歩け、歩くのに十分な強度を持ち、はずれたり、傷んだりしないスリッパであり、材質によっては使い捨ても可能であり、１枚のシートで組み立て可能で、鼻緒がぬけにくく、しかも丈夫で組み立て後の強度が大きく鼻緒が前鼻緒、左右横鼻緒の３箇所を有し履き易い安価な鼻緒つき簡易組み立てスリッパを提供することを目的とする。
【課題を解決するための手段】
【０００５】
１枚のシートＳで、組み立て可能な鼻緒つき簡易組み立てスリッパであって、足裏と接触する底部３と足を覆う足覆い部９と右横鼻緒部７と左横鼻緒部１４と前鼻緒部１０とからなり、前記底部３と足覆い部９とが底部切り込み線１６によって分断され左右の足覆い部の端部９ａで底部３と連接されており、底部３の右横端部１８に右横鼻緒さし込み穴部４と右横鼻緒引き出し穴部５が設けられており、底部の左横端部１９に左横鼻緒さし込み穴部１２と左横鼻緒引き出し穴部１３が設けられており、前記底部３の前部１７に前鼻緒さし込み穴部２と前鼻緒引き出し穴部１が設けられていることを特徴とする鼻緒つき簡易組み立てスリッパである。
係る構成によれば、１枚のシート自らで組み立てて作ることができ、簡単に切りぬき組み立てて利用できるため、持ち運びに極めて便利であり、鼻緒つき草履としてはもとより鼻緒なしスリッパとしてもぬげずに使用でき、使い勝手がよく履き易い。
【０００６】
前記左横鼻緒さし込み穴部１２と右横鼻緒さし込み穴部４の形状が底部の外縁Ｆに向けて頂点を有するＶ字形状であり、前鼻緒さし込み穴部２の形状が底部の外縁Ｆと反対方向に向けて頂点を有するＶ字形状であることを特徴とする請求項１に記載の鼻緒つき簡易組み立てスリッパである。
係る構成によれば、３箇所にあるさし込み穴部の形状をＶ字形状にし、加えて３箇所の直線の引き出し穴部を組み合わせることにより、ぬけにくくする力ができ外れにくくなった。履いた時鼻緒部も３箇所になり、底部３の左右に使用者の体重がかかり、より外れにくさも増した。
【０００７】
前記前鼻緒部１０と左横鼻緒部１４と右横鼻緒部７の鼻緒部の幅方向Ｗの略中央の鼻緒部の長手方向Ｌに、前記鼻緒部折れ線１１と左横鼻緒部折れ線１５と右横鼻緒部折れ線８が設けられていることを特徴とする請求項１又は２に記載の鼻緒つき簡易組み立てスリッパである。
係る構成によれば、３箇所にある鼻緒部の幅の中央の長手方向に鼻緒部折れ線を設けることにより、鼻緒部が三角形型に折り曲がることと、Ｖ字形状の鼻緒穴部と直線の鼻緒穴部が組み合わされることにより、鼻緒部がねじれて外れにくくなり鼻緒部の強度も増した。鼻緒部も３箇所になり、底部左右に使用者の体重もかかり、より外れにくく履き易い好適なスリッパになった。更に鼻緒なしのスリッパとしてもぬけずに使用できるなどの効果もでた。
【０００８】
前記前鼻緒部折れ線１１と左横鼻緒部折れ線１５と右横鼻緒部折れ線８の足覆い部９側の端部９ａに、前記折れ線１１、１５、８の端部Ｍを頂点とするＶ字形状を有する折れ線Ｐが設けられていることを特徴とする請求項１〜３のいずれかに記載の鼻緒つき簡易組み立てスリッパである。
係る構成によれば、３箇所にある鼻緒部の幅の中央の長手方向に鼻緒部を三角形型に折り曲げたものを立ち上げ易くなった。
【０００９】
前記前鼻緒部１０と左横鼻緒部１４と右横鼻緒部７の鼻緒部の長手方向Ｌの先端部の形状がＶ字形状であることを特徴とする請求項１〜４のいずれかに記載の鼻緒つき簡易組み立てスリッパである。
係る構成によれば前鼻緒部１０と左横鼻緒部１４と右横鼻緒部７の先端部の形状がＶ字形状にすることにより、それぞれの、さし込み引き出し穴部に入れ易く引き出し易くなるため、より組み立て易いスリッパになった。
【００１０】
前記足覆い部９側の端部９ａに足覆い部折れ線６が設けられていることを特徴とする請求項１〜５のいずれかに記載の鼻緒つき簡易組み立てスリッパである。
係る構成によれば足覆い部９を折り返して底部３を覆い易いスリッパになった。
【発明の効果】
【００１１】
本発明の鼻緒つき簡易組み立てスリッパシートは、１枚のシート自らで組み立てて作られており、描かれた図を簡単に切りぬき組み立てて利用できるため、持ち運びに極めて便利であり、急に上履きが必要になったとき、例えば備え付けの履物が汚れていたり、汚れた場所なのに履物がなかったりしたとき即座に利用できる。また安価で材質によっては使い捨ても可能である。更に材質を選べば下履きとして使用できる。更に前鼻緒部１０と左横鼻緒部１４と右横鼻緒部７の３箇所を有し鼻緒部がぬけにくく、しかも丈夫で組み立て後の強度が増すとともに、鼻緒つき草履としてはもとより鼻緒なしスリッパとしてもぬげずに使用でき、履き易い。特にビーチサンダル等にも広く利用できる。
【図面の簡単な説明】
【００１２】
【図１】図１は本願発明の鼻緒つき簡易組み立てスリッパシートの平面図である。
【図２】図２は本願発明の簡易組み立てスリッパの組み立て完成品を示す斜視図である。
【図３】図３は本願発明の簡易組み立てスリッパの組み立て手順を示す説明図である。（足覆い部をおこした状態）
【図４】図４は本願発明の簡易組み立てスリッパの組み立て手順を示す説明図である。（足覆い部を持ち上げた状態）
【図５】図５は本願発明の簡易組み立てスリッパの組み立て手順を示す説明図である。（前鼻緒部と左右横鼻緒部をさし込む状態）
【図６】図６は本願発明の簡易組み立てスリッパの組み立て手順を示す説明図である。（前鼻緒部と左右横鼻緒部を引き出す状態）
【発明を実施するための形態】
【００１３】
本発明の鼻緒つき簡易組み立てスリッパシートの実施の形態を実施例にもとづき、図面を参照しつつ以下詳細に説明する。なお左右同形であるため、片方のスリッパのみについて説明する。
【実施例１】
【００１４】
図１は本発明の鼻緒つき簡易組み立てスリッパシートの説明図である。本発明の鼻緒つき簡易組み立てスリッパシートは、足覆い部９、左横鼻緒部１４、右横鼻緒部７、前鼻緒部１０、底部３で構成される。底部切り込み線１６を切り取り、足覆い部折れ線６を立ち上げ折り返して足覆い部９とし、残った部分が底部３となる。足覆い部９は、左横鼻緒部１４と右横鼻緒部７と前鼻緒部１０を持ち、それらを接続するために底部３は左横鼻緒さし込み穴部１２、左横鼻緒引き出し穴部１３、右横鼻緒さし込み穴部４、右横鼻緒引き出し穴部５、前鼻緒引き出し穴部１、前鼻緒さし込み穴部２を持つ。前鼻緒部１０と左横鼻緒部１４と右横鼻緒部７の鼻緒部の長手方向Ｌの先端部の形状はＶ字形状とする。
【実施例２】
【００１５】
試作においてはシートＳとして厚さ０．７ミリの表紙工作用紙を使用した。
初めは底部の前部１７に設けられた前鼻緒さし込み穴部２を直線切り込みとし、また底部の前部１７に設けられた前鼻緒引き出し穴部１も直線切り込みとして、長手方向Ｌの先端部の形状はＶ字形状である前鼻緒部１０を前鼻緒さし込み穴部２にはめ込み、さらに前鼻緒部１０を前鼻緒引き出し穴部１にはめ込み、引き出して底部３の表に出した。
上記と同様に底部３の左横端部１９に設けられた左横鼻緒部１４と、底部３の底部の右横端部１８に設けられた右横鼻緒部７も組み立てた。
組み立て易く、また３箇所の鼻緒部それぞれをはめ込み引き出すことによって、体重がかかり、ぬけにくくはなるが急な力などが加わるとぬけてしまうこともあり、より改良が望まれた。
【実施例３】
【００１６】
そこで次に左横鼻緒さし込み穴部１２と右横鼻緒さし込み穴部４の形状が底部の外縁Ｆに向けてＶ字形状とし、前鼻緒さし込み穴部２の形状が底部の外縁Ｆと反対方向にむけてＶ字形状とし左横鼻緒部１４と右横鼻緒部７と前鼻緒部１０の鼻緒部の幅方向Ｗの略中央の鼻緒部の長手方向Ｌに左横鼻緒部折れ線１５と右横鼻緒部折れ線８と前鼻緒部折れ線１１を設け、更に前鼻緒部折れ線１１と左横鼻緒部折れ線１５と右横鼻緒部折れ線８の足覆い部９側の端部９ａに前記折れ線１１、１５、８の端部Ｍを頂点とするＶ字形状を有する折れ線Ｐを設けた。これにより各鼻緒部が丈夫になり、３箇所の直線の引き出し穴部を組み合わせることでぬけにくくなった。また、Ｖ字形状の有する折れ線Ｐを設けることにより、それぞれの鼻緒部を立て上げやすくそれぞれの直線の引き出し穴部へも、しわの固まりなく入れることができ、これで本発明を完成し好適なものとなった。
【００１７】
次に本発明の鼻緒つき簡易組み立てスリッパの組み立て手順を順序立てて説明する。本発明の鼻緒つき簡易組み立てスリッパシートＳより切り出した後、前記底部３を足覆い部９より底部切り込み線１６で切り取り、足覆い部折れ線６を立ち上げ折り返して足覆い部９とする。次に前鼻緒部折れ線１１を折り曲げて前鼻緒部１０をＶ字形状にした後、前鼻緒さし込み穴部２へはめ込み、前鼻緒引き出し穴部１へはめ込む。続いて左横鼻緒部折れ線部１５を折り曲げて左横鼻緒部１４をＶ字形状にした後、左横鼻緒さし込み穴部１２へはめ込み左横鼻緒引き出し穴部１３へはめ込む。更に右横鼻緒部折れ線８を折り曲げて、右横鼻緒部７をＶ字形状とした後、右横鼻緒さし込み穴部４へはめ込み、右横鼻緒引き出し穴部５へはめ込んで使用する。
【００１８】
本発明の鼻緒つき簡易組み立てスリッパシートは、実施例に挙げただけでなく、種類に応じて色々な素材・厚み・大きさ・形に作ることが出来る。
【産業上の利用可能性】
【００１９】
本発明のスリッパは１枚のシートで作られており、簡単に切り抜き、組立も容易であり強度を有している。産業上利用可能性は大きい。
【符号の説明】
【００２０】
１    前鼻緒引き出し穴部
２    前鼻緒さし込み穴部
３    底部
４    右横鼻緒さし込み穴部
５    右横鼻緒引き出し穴部
６    足覆い部折れ線
７    右横鼻緒部
８    右横鼻緒部折れ線
９    足覆い部
１０  前鼻緒部
１１  前鼻緒部折れ線
１２  左横鼻緒さし込み穴部
１３  左横鼻緒引き出し穴部
１４  左横鼻緒部
１５  左横鼻緒部折れ線
１６  底部切り込み線
１７  底部の前部
１８  底部の右横端部
１９  底部の左横端部
９ａ  足覆い部の端部
Ｓ    １枚のシート
Ｗ    鼻緒部の幅方向
Ｌ    鼻緒部の長手方向
Ｆ    底部の外縁
Ｐ    Ｖ字形状の有する折れ線
Ｍ    横鼻緒部、前鼻緒部の折れ線の端部
【図１】
2014110972.tif 000003
【図２】
2014110972.tif 000004
【図３】
2014110972.tif 000005
【図４】
2014110972.tif 000006
【図５】
2014110972.tif 000007
【図６】
2014110972.tif 000008